(57)【特許請求の範囲】
【請求項１】
使用者の身体に取り付けられ、使用者に低周波パルス電流を供給するパッドと、
前記パッドを保持するホルダと、
前記ホルダに取り付けられることで、前記パッドに低周波パルス電流を供給する本体部と、を備えた低周波治療器において、
前記ホルダに対して前記本体部を重ねて取り付けた状態では係合し、取り外した状態では当該係合が解除するよう構成された誘導係合部を備え、
前記誘導係合部は、
前記取り付けの際には、前記ホルダと前記本体部とが正対方向に移動して係合に至り、
前記取り外しの際には、前記取り付けの際の移動方向と逆方向への移動は抑制されており、前記ホルダに対して前記本体部が前記正対方向に交わる方向に移動することで前記係合が解除されるよう形成されていることを特徴とする低周波治療器。
【請求項２】
前記誘導係合部は、前記取り外しの際には、前記ホルダに対して前記本体部が前記正対方向に対して回動することで前記係合が解除されるよう形成されていることを特徴とする、請求項１に記載の低周波治療器。
【請求項３】
前記誘導係合部は、前記ホルダと前記本体部とのうち一方に形成された突起と、他方に形成され前記突起が嵌る溝部とを備えることを特徴とする、請求項１または２に記載の低周波治療器。
【請求項４】
前記ホルダは、前記本体部を前記正対方向に交わる方向に挟む両側に位置する壁部であって、前記本体部の回動を許容するように内側が湾曲形状とされた壁部を備え、
前記壁部の内面には、前記溝部として、前記正対方向である縦方向に形成され、上方が開口した縦溝部と、前記縦方向に交わる横方向に形成され、横方向の少なくとも一方の端部が開口した横溝部と、が形成され、
前記本体部は、前記壁部に対向する側面に、前記突起として、前記縦溝部に沿った移動と前記横溝部に沿った移動とが可能な本体部側突起が形成されたことを特徴とする、請求項３に記載の低周波治療器。
【請求項５】
前記横溝部には、前記ホルダに対して前記本体部を重ねて取り付けた状態から、前記ホルダに対して前記本体部が前記正対方向に交わる方向に回動することを制限する制限部を備えることを特徴とする、請求項４に記載の低周波治療器。
【請求項６】
前記本体部は、前記パッドに低周波パルス電流を供給する本体部側電極部を前記ホルダに正対する面から突出して備え、
前記パッドは、前記ホルダ上に取り付けられる取付部を備え、
前記取付部は、前記本体部に正対する面にパッド側電極部を備え、
前記本体部側電極部は、前記ホルダに前記本体部が取り付けられた状態で、前記パッド側電極部に当接することで低周波パルス電流を供給する、請求項４または５に記載の低周波治療器。
【請求項７】
前記ホルダが不導体からなる、請求項１〜６のいずれかに記載の低周波治療器。
【請求項８】
前記パッドが、前記ホルダに取り付けられる取付部と、当該取付部から少なくとも一方に延び導体からなる導電層が露出した治療部と、を備え、
前記取付部の幅寸法は、前記治療部の幅寸法よりも小さく形成され、
前記取付部の外周縁は、前記壁部の湾曲に略一致した湾曲部を備えることを特徴とする、請求項４または５に記載の低周波治療器。
【請求項９】
使用者の身体に取り付けられて使用者に低周波パルス電流を供給するパッドを保持するホルダに取り付けられることで、前記パッドに低周波パルス電流を供給する低周波治療器用の本体部において、
前記ホルダに対して前記本体部を重ねて取り付けた状態では係合し、取り外した状態では当該係合が解除するよう構成された誘導係合部を備え、
前記誘導係合部は、
前記取り付けの際には、前記ホルダと前記本体部とが正対方向に移動して係合に至り、
前記取り外しの際には、前記取り付けの際の移動方向と逆方向への移動は抑制されており、前記ホルダに対して前記本体部が前記正対方向に交わる方向に移動することで前記係合が解除されるよう形成されていることを特徴とする低周波治療器用の本体部。
【請求項１０】
使用者の身体に取り付けられるパッドであり、使用者に低周波パルス電流を供給するパッドを保持し、前記パッドに低周波パルス電流を供給する本体部に対して取り付けられる低周波治療器用のホルダにおいて、
前記本体部を重ねて取り付けた状態では係合し、取り外した状態では当該係合が解除するよう構成された誘導係合部を備え、
前記誘導係合部は、
前記取り付けの際には、前記ホルダと前記本体部とが正対方向に移動して係合に至り、
前記取り外しの際には、前記取り付けの際の移動方向と逆方向への移動は抑制されており、前記ホルダに対して前記本体部が前記正対方向に交わる方向に移動することで前記係合が解除されるよう形成されていることを特徴とする低周波治療器用のホルダ。
【請求項１１】
使用者の身体に取り付けられて使用者に低周波パルス電流を供給するパッドと、前記パッドを保持するホルダとからなる、低周波治療器用のパッドとホルダの組み合わせにおいて、
前記ホルダは、前記パッドに低周波パルス電流を供給する本体部を重ねて取り付けた状態では係合し、取り外した状態では当該係合が解除するよう構成された誘導係合部を備え、
前記誘導係合部は、
前記取り付けの際には、前記ホルダと前記本体部とが正対方向に移動して係合に至り、
前記取り外しの際には、前記取り付けの際の移動方向と逆方向への移動は抑制されており、前記ホルダに対して前記本体部が前記正対方向に交わる方向に移動することで前記係合が解除されるよう形成されていることを特徴とする低周波治療器用のパッドとホルダの組み合わせ。
【請求項１２】
前記ホルダが不導体からなる、請求項１１に記載の低周波治療器用のパッドとホルダの組み合わせ。
【発明の詳細な説明】
【技術分野】
【０００１】
本発明は、低周波治療器に関するものである。
【背景技術】
【０００２】
従来、導電層を有するパッドを使用者の身体に取り付けて、身体に低周波パルス電流を供給することで、使用者の肩こりをほぐす等の治療を行う低周波治療器が存在する（特許文献１参照）。
【０００３】
特許文献１に記載の低周波治療器は、ホルダ（特許文献１における「下半部分」）に対し、パッド（同「電極パッド」）を挟んだ状態で本体部（同「上半部分」）が取り付けられる。ホルダと本体部の取り付けは、本体部に形成された凹部にホルダの突起が嵌合することでなされる。両者の取り付け・取り外しは、ホルダに対して本体部を上下方向に移動することでなされる。
【０００４】
また、ホルダに設けられた端子が本体部とパッドとに電気的に接続されることで、本体部から一旦ホルダを介してパッドへ通電される。
【０００５】
ところが、特許文献１に記載されたホルダと本体部との取り付け構造では、使用中の使用者が身体を動かした場合等に、前記嵌合が外れてしまうことがある。そうすると、パッドへの通電が行われなくなるため治療が中断されてしまう。この場合、使用者はホルダに対して本体部を取り付け直す必要がある。
【０００６】
このように、特許文献１に記載の低周波治療器は、パッドへの通電が不安定となる場合があった点で改善の余地があった。
【先行技術文献】
【特許文献】
【０００７】
【特許文献１】特開平６−３３９５３１号公報（図３、図４）
【発明の概要】
【発明が解決しようとする課題】
【０００８】
そこで本発明は、パッドへの通電を安定的に行うことのできる低周波治療器及び低周波治療器用のパッド、低周波治療器用の本体部、低周波治療器用のホルダ、低周波治療器用のパッドとホルダの組み合わせを提供することを課題とする。
【課題を解決するための手段】
【０００９】
本発明は、使用者の身体に取り付けられ、使用者に低周波パルス電流を供給するパッドと、前記パッドを保持するホルダと、前記ホルダに取り付けられることで、前記パッドに低周波パルス電流を供給する本体部と、を備えた低周波治療器において、前記ホルダに対して前記本体部を重ねて取り付けた状態では係合し、取り外した状態では当該係合が解除するよう構成された誘導係合部を備え、前記誘導係合部は、前記取り付けの際には、前記前記ホルダと前記本体部とが正対方向に移動して係合に至り、前記取り外しの際には、前記取り付けの際の移動方向と逆方向への移動は抑制されており、前記ホルダに対して前記本体部が前記正対方向に交わる方向に移動することで前記係合が解除されるよう形成されている低周波治療器である。
【００１０】
この構成によれば、取り付けはワンタッチでできる。一方、取り外しは正対方向に交わる方向に移動することで係合解除されるため、使用中に使用者が動いてホルダから本体部が不意に外れることを抑制できる。
【００１１】
そして、前記誘導係合部は、前記取り外しの際には、前記ホルダに対して前記本体部が前記正対方向に対して回動することで前記係合が解除されるよう形成されていることもできる。
【００１２】
この構成によれば、取り外しの際は回動により係合解除されるため、使用中に使用者が動いてホルダから本体部が不意に外れることを効果的に抑制できる。
【００１３】
そして、前記誘導係合部は、前記ホルダと前記本体部とのうち一方に形成された突起と、他方に形成され前記突起が嵌る溝部とを備えることもできる。
【００１４】
この構成によれば、誘導係合部を凹凸嵌合により構成できるので、構成を簡素化できる。
【００１５】
そして、前記ホルダは、前記本体部を前記正対方向に交わる方向に挟む両側に位置する壁部であって、前記本体部の回動を許容するように内側が湾曲形状とされた壁部を備え、前記壁部の内面には、前記溝部として、前記正対方向である縦方向に形成され、上方が開口した縦溝部と、前記縦方向に交わる横方向に形成され、横方向の少なくとも一方の端部が開口した横溝部と、が形成され、前記本体部は、前記壁部に対向する側面に、前記突起として、前記縦溝部に沿った移動と前記横溝部に沿った移動とが可能な本体部側突起が形成されたものとできる。
【００１６】
この構成によれば、取り付ける際、基本的に不動である側であるホルダに縦溝部及び横溝部が設けられ、移動させる側である本体部に本体部側突起が形成されている。よって、両者の位置合わせが容易である。
【００１７】
そして、前記横溝部には、前記ホルダに対して前記本体部を重ねて取り付けた状態から、前記ホルダに対して前記本体部が前記正対方向に交わる方向に回動することを制限する制限部を備えることもできる。
【００１８】
この構成によれば、制限部により本体部が前記正対方向に交わる方向に回動することを制限できる。このため、ホルダに対して本体部を重ねて取り付けた状態を確実に維持できる。
【００１９】
そして、前記本体部は、前記パッドに低周波パルス電流を供給する本体部側電極部を前記ホルダに正対する面から突出して備え、前記パッドは、前記ホルダ上に取り付けられる取付部を備え、前記取付部は、前記本体部に正対する面にパッド側電極部を備え、前記本体部側電極部は、前記ホルダに前記本体部が取り付けられた状態で、前記パッド側電極部に当接することで低周波パルス電流を供給するものとできる。
【００２０】
この構成によれば、本体部側電極部をホルダ上に取り付けられるパッドのパッド側電極部に当接した状態で、誘導係合部により本体部とホルダとを係合できる。このため、両電極部の当接を強固にできる。よって、本体部とパッドとの導通状態を安定させられる。
【００２１】
そして、前記ホルダが不導体からなるものとできる。
【００２２】
この構成によれば、パッドを使用者の背中において背骨を跨ぐように配置した場合、背骨に不導体であるホルダを一致させるように配置できる。これにより、使用者の背骨及び脊髄に低周波パルス電流が流れることを抑制できる。よって、背骨及び脊髄が電流により損傷を受けることを抑制できるため、低周波治療器を安全に使用できる。
【００２３】
また、本発明は、前記低周波治療器に用いられる、低周波治療器用のパッドであり、前記ホルダに取り付けられる取付部と、当該取付部から少なくとも一方に延び導体からなる導電層が露出した治療部と、を備え、前記取付部の幅寸法は、前記治療部の幅寸法よりも小さく形成され、前記取付部の外周縁は、前記壁部の湾曲に略一致した湾曲部を備える低周波治療器用のパッドである。
【００２４】
この構成によれば、取付部の幅寸法が治療部の幅寸法よりも小さいので、本体部及びホルダを小型にできる。また、取り外しの際の回動方向に沿った湾曲形状の外縁を有するパッドのため、取り外しの際にパッドが本体部側突起に引っ掛かってめくれる事態を抑制でき、快適に使用できる。
【００２５】
また、本発明は、使用者の身体に取り付けられて使用者に低周波パルス電流を供給するパッドを保持するホルダに取り付けられることで、前記パッドに低周波パルス電流を供給する低周波治療器用の本体部において、前記ホルダに対して前記本体部を重ねて取り付けた状態では係合し、取り外した状態では当該係合が解除するよう構成された誘導係合部を備え、前記誘導係合部は、前記取り付けの際には、前記ホルダと前記本体部とが正対方向に移動して係合に至り、前記取り外しの際には、前記取り付けの際の移動方向と逆方向への移動は抑制されており、前記ホルダに対して前記本体部が前記正対方向に交わる方向に移動することで前記係合が解除されるよう形成されている低周波治療器用の本体部である。
【００２６】
この構成によれば、本体部のホルダに対する取り付けはワンタッチでできる。一方、取り外しは正対方向に交わる方向に移動することで係合解除されるため、使用中に使用者が動いてホルダから本体部が不意に外れることを抑制できる。
【００２７】
また、本発明は、使用者の身体に取り付けられるパッドであり、使用者に低周波パルス電流を供給するパッドを保持し、前記パッドに低周波パルス電流を供給する本体部に対して取り付けられる低周波治療器用のホルダにおいて、前記本体部を重ねて取り付けた状態では係合し、取り外した状態では当該係合が解除するよう構成された誘導係合部を備え、前記誘導係合部は、前記取り付けの際には、前記ホルダと前記本体部とが正対方向に移動して係合に至り、前記取り外しの際には、前記取り付けの際の移動方向と逆方向への移動は抑制されており、前記ホルダに対して前記本体部が前記正対方向に交わる方向に移動することで前記係合が解除されるよう形成されている低周波治療器用のホルダである。
【００２８】
この構成によれば、ホルダに対する本体部の取り付けはワンタッチでできる。一方、取り外しは正対方向に交わる方向に移動することで係合解除されるため、使用中に使用者が動いてホルダから本体部が不意に外れることを抑制できる。
【００２９】
また、本発明は、使用者の身体に取り付けられて使用者に低周波パルス電流を供給するパッドと、前記パッドを保持するホルダとからなる、低周波治療器用のパッドとホルダの組み合わせにおいて、前記ホルダは、前記パッドに低周波パルス電流を供給する本体部を重ねて取り付けた状態では係合し、取り外した状態では当該係合が解除するよう構成された誘導係合部を備え、前記誘導係合部は、前記取り付けの際には、前記ホルダと前記本体部とが正対方向に移動して係合に至り、前記取り外しの際には、前記取り付けの際の移動方向と逆方向への移動は抑制されており、前記ホルダに対して前記本体部が前記正対方向に交わる方向に移動することで前記係合が解除されるよう形成されている低周波治療器用のパッドとホルダの組み合わせである。
【００３０】
この構成によれば、ホルダに対する本体部の取り付けはワンタッチでできる。一方、取り外しは正対方向に交わる方向に移動することで係合解除されるため、使用中に使用者が動いてホルダから本体部が不意に外れることを抑制できる。
【００３１】
そして、前記ホルダが不導体からなるものとできる。
【００３２】
この構成によれば、パッドを使用者の背中において背骨を跨ぐように配置した場合、背骨に不導体であるホルダを一致させるように配置できる。これにより、使用者の背骨及び脊髄に低周波パルス電流が流れることを抑制できる。よって、背骨及び脊髄が電流により損傷を受けることを抑制できるため、低周波治療器を安全に使用できる。
【発明の効果】
【００３３】
本発明によると、取り付けはワンタッチででき、取り外しは正対方向に交わる方向に移動することで係合解除されるため、使用中に使用者が動いてホルダから本体部が不意に外れることを抑制できる。よって、本体部からパッドへの通電を安定的に行うことができる。
【図面の簡単な説明】
【００３４】
【図１】本発明の一実施形態に係る低周波治療器を示す斜視図である。
【図２】同低周波治療器におけるホルダ及びパッドと本体部とを分離した状態を示す分解斜視図である。
【図３】（Ａ）は図２のＡ−Ａ矢視の一部（パッド図示省略）で、同低周波治療器におけるホルダの縦溝部及び横溝部を示す要部縦断面図であり、（Ｂ）は図２のＢ−Ｂ矢視のうち一部で、同低周波治療器における本体部（内部構造図示省略）の本体部側突起を示す要部縦断面図である。
【図４】同低周波治療器におけるホルダの縦溝部及び横溝部を示す横断面斜視図である。
【図５】同低周波治療器におけるホルダと本体部との係合状態を示す要部縦断面図である。
【図６】（Ａ）は同低周波治療器におけるホルダに本体部が取り付けられた状態を示す平面図であり、（Ｂ）は同低周波治療器におけるホルダから本体部を取り外す途中の状態を示す平面図である。
【図７】本発明の他の実施形態に係る低周波治療器におけるホルダ（パッド省略）及び本体部の概略構造を示す、底面側から見た斜視図である。
【発明を実施するための形態】
【００３５】
次に、本発明につき、一実施形態を取り上げて説明を行う。なお、以下説明での上下方向は図１に示した状態の低周波治療器１における上下方向である。本実施形態の低周波治療器１はコードレスタイプであり、使用時に一体とされるパッド２、ホルダ３、本体部４を備え、これら各部を組み合わせて治療を行うことができる。
【００３６】
パッド２は、使用者の身体に取り付けられる部分である。このパッド２は、使用者に低周波パルス電流を供給する導電層２ａを備える。パッド２の身体側を向いた身体側部２１の表面（下面）にこの導電層２ａが露出している。使用者の身体へのパッド２の取り付けは、身体側部２１を、導電性のゲル（図示しない）を介して使用者の皮膚に貼り付けることで行う。
【００３７】
パッド２は軟質合成樹脂製の基材（図示しない）の表面に、例えば、印刷により導体であるカーボン層を積層したものであり、このカーボン層が導電層２ａとなる。導電層２ａは、通電時の極性（＋極、−極）別に設けられている。なお、パッド２には極性を交互に転換させて通電することもあるので、＋極専用の導電層２ａと−極専用の導電層２ａが固定的に存在するのではなく、極性は可変的である。
【００３８】
パッド２は、図２に示すように、ホルダ３上に取り付けられる取付部２Ｘと、この取付部２Ｘから少なくとも一方に延び導電層２ａが露出した治療部２Ｙとを備える。本実施形態の治療部２Ｙは、取付部２Ｘから極性別に両方に延びている。また、治療部２Ｙにおける底面である身体側部２１のうち全表面に導電層２ａが露出している。
【００３９】
治療部２Ｙに比べて取付部２Ｘは絞られた形状である。つまり、取付部２Ｘの幅寸法は、治療部２Ｙの幅寸法よりも小さく形成されている。これにより、ホルダ３及び本体部４を小型にできる。また導電層２ａは、パッド２の取付部２Ｘにおける本体部４を向いた面にも露出しており、この露出部分がパッド側電極部２２となる。このパッド側電極部２２は、本体部側電極部４３との電気的接続のために形成されている。本実施形態では、取付部２Ｘにおける幅方向の一端に一方の極（例えば＋極）に対応した導電層２ａが露出し、他端に他方の極（例えば−極）に対応した導電層２ａが露出している。よって、パッド側電極部２２の導電層２ａはパッド２の外周部に露出している。パッド側電極部２２における導電層２ａの露出は、例えば、パッド２の一部の層を剥がすこと、パッド２を表裏折り返すこと、パッド２を厚み方向に重ね合わせることで実現できる。
【００４０】
ホルダ３はパッド２を保持する部分である。本実施形態では硬質樹脂製であり、両面粘着テープによりパッド２の取付部２Ｘを保持している。このホルダ３は、パッド２の取付部２Ｘを保持するパッド保持部３１と、パッド保持部３１の両端に位置する壁部３２とを備える。なお、パッド２の保持は両面粘着テープによるものに限定されず、例えばのりや接着剤によることもできる。
【００４１】
ホルダ３は硬質樹脂製であるから不導体である。このため、パッド２を使用者の背中において背骨を跨ぐように配置した場合、背骨に不導体であるホルダ３を一致させ、パッド２の治療部２Ｙが背骨に重ならないように配置できる。これにより、使用者の背骨及び脊髄に低周波パルス電流が流れることを抑制できる。よって、背骨及び脊髄が電流により損傷を受けることを抑制できるため、低周波治療器１を安全に使用できる。また、パッド２の取付部２Ｘにおいて、背骨に重なる部分を別途絶縁部材で覆う必要がないため、パッド２とホルダ３とが組み合わされたものの構成を簡素化できる。
【００４２】
図３（Ａ）に示すように、パッド保持部３１は、中央寄りに位置するパッド当接部３１１と、壁部３２寄りに位置する周縁部３１２とを有する。図示のように、パッド当接部３１１の上面よりも周縁部３１２の上面の方が上方にある。このため、図５に示すように、ホルダ３へ本体部４を取り付けた状態では、周縁部３１２に本体部４の下面４２が当接する。
【００４３】
図２に示すように、パッド当接部３１１の上面に当接するようにしてパッド２が重ねられる。パッド当接部３１１から上方に略コの字状の位置決め突起３１３が突出しており、パッド２において表裏方向に貫通した窓部２３の縁部を位置決め突起３１３に合わせることで、ホルダ３に対するパッド２の位置決めを行うことができる。
【００４４】
前述のようにパッド当接部３１１の上面よりも周縁部３１２の上面の方が上方にある。このため、ホルダ３へと本体部４を取り付けた状態では、周縁部３１２に本体部４の下面４２が当接するので、図５に示すように、パッド当接部３１１上のパッド２の上面と本体部４の下面４２とが密着せず、隙間を有するようにできる。このため、パッド側電極部２２のカーボン層に下面４２が擦れることで、本体部４が剥がれたカーボンにより汚されることを抑制できる。よって、低周波治療器１を長期にわたって美しく使用することができる。
【００４５】
パッド２は消耗品であるので、交換の際等に、本体部４に対して着脱可能とされている。本実施形態では、ホルダ３がパッド２を保持することで両者が一体となっており、ホルダ３に対して本体部４を着脱するよう構成されている。パッド２の交換はホルダ３ごと行われる。
【００４６】
本体部４は、ホルダ３に取り付けられることで、パッド２の導電層２ａに低周波パルス電流を供給する部分である。本体部４の内部には電池等の電源部、及び、所望の低周波パルス電流を形成するための電気回路（基板）が配置され、外部にはスイッチ類や表示部が設けられている（一部を除き図示しない）。図３（Ｂ）に示すように、本体部４のホルダ３に正対する面である下面４２からは本体部側電極部４３がばね４４により付勢された状態で突出している（本体部側電極部４３の位置を図６（Ａ）（Ｂ）にも二点鎖線で示す）。この本体部側電極部４３は極性別に設けられている。
【００４７】
ホルダ３及び本体部４には、ホルダ３に対して本体部４を重ねて取り付けた状態では係合し、取り外した状態では当該係合が解除するよう構成された誘導係合部５が形成されている。この誘導係合部５は、ホルダ３と本体部４の両者を係合すると共に、両者の取り付け・取り外しの際にホルダ３に対する本体部４の移動方向を規制する。具体的に、この誘導係合部５は、両者の取り付けの際には、両者が図２に矢印で示す正対方向（下方向）Ｄ１に移動して係合に至る。そして、両者の取り外しの際には、ホルダ３に対して本体部４が前記正対方向Ｄ１に交わる方向（横方向）Ｄ２（図６（Ａ）参照）に移動することで両者の係合が解除されるよう形成されている。なお、この取り外しの際には、前記取り付けの際の移動方向と逆方向（上方向）への移動は抑制されている（本実施形態では移動が不可能とされている）。また、本実施形態では、平面視における反時計方向である方向Ｄ２とは反対の方向である時計方向に本体部４を移動させても、ホルダ３と本体部４との係合が解除される。このように、横方向の両方向に本体部４を移動させて係合解除できるように構成でき、また、横方向の一方向にのみ本体部４を移動させて係合解除できるようにも構成できる。
【００４８】
このように誘導係合部５がホルダ３に対する本体部４の移動方向を規制することにより、取り付けはワンタッチ（ホルダ３への本体部４の押込みのみ）でできる。一方、取り外しは前記正対方向Ｄ１に交わる方向（横方向）Ｄ２に移動することで係合解除されるため、使用者の操作以外の外力により係合解除されにくいので、使用中に使用者が動いてホルダ３から本体部４が不意に外れることを抑制できる。特に本実施形態では、後述のストッパー突起５２２１が存在するため、更に係合解除されにくくなっている。
【００４９】
誘導係合部５は、ホルダ３から本体部４を取り外す際には、ホルダ３に対して、例えば図６（Ａ）に矢印で示した横方向Ｄ２に本体部４を回動させることで、ホルダ３と本体部４との係合が解除されるよう形成されている。この構成により、取り外しの際は正対方向Ｄ１に対して回動させることにより係合解除されるため、単なる平行移動による係合解除と比べて、使用中に使用者が動いてホルダ３から本体部４が不意に外れることを効果的に抑制できる。
【００５０】
以下、この誘導係合部５について具体的に説明する。本実施形態における誘導係合部５は、図２に示すように、本体部４に形成された突起である本体部側突起５１と、ホルダ３に形成され本体部側突起５１が嵌る溝部５２とを備える。この構成では、誘導係合部５を凹凸嵌合により構成できるので、構成を簡素化できる。
【００５１】
ホルダ３における壁部３２は、パッド保持部３１の長手方向両端であり、本体部４を正対方向Ｄ１に交わる方向に挟む両側（パッド２の幅方向両端側）に位置している。この壁部３２は、取り外しの際における横方向Ｄ２への本体部４の回動を許容するように内側が湾曲形状とされている。壁部３２の内面には、前記溝部５２として縦溝部５２１と横溝部５２２とが形成されている。縦溝部５２１は、ホルダ３と本体部４との正対方向Ｄ１である縦方向に形成され、上方が開口している。横溝部５２２は、前記縦方向に交わる横方向に形成され、横方向の少なくとも一方の端部が開口している。本実施形態では縦溝部５２１と横溝部５２２とが直交している。また、本実施形態の横溝部５２２は横方向の両端とも開口している。
【００５２】
縦溝部５２１と横溝部５２２とが交わる部分における縦断面形状は、図３（Ａ）に示す形状である。縦溝部５２１は、上部に、内方（パッド保持部３１の中央方向）に延びる庇部５２３が位置する。庇部５２３の上部には導入斜面５２３１が形成されている。この導入斜面５２３１は内方に向かうにつれ下降する、緩やかに湾曲した斜面である。庇部５２３の下部には水平面５２３２が形成されている。横溝部５２２は、上下寸法が本体部４に形成された本体部側突起５１の上下寸法よりもわずかに大きく形成されている。これにより、本体部側突起５１が横溝部５２２の長手方向に沿って移動可能とされている。また、縦溝部５２１と横溝部５２２とが交わる部分には、横溝部５２２の下面から上方に突出する係合突起５２４が形成されている。
【００５３】
そして横溝部５２２には、図４に示すように、ホルダ３に対して本体部４を重ねて取り付けた状態から、ホルダ３に対して、例えば横方向Ｄ２に本体部４を回動させることを制限する、制限部としてのストッパー突起５２２１，５２２１が形成されている。これらストッパー突起５２２１，５２２１は、取り付け状態において本体部側突起５１を挟む横方向両側に位置している。各ストッパー突起５２２１に対し、移動させられようとする本体部側突起５１は当接する。この当接により、本体部４の係合解除される方向への移動が制限される。本実施形態では、横方向の両方向に本体部４を移動させて係合解除できるので、ストッパー突起５２２１が２箇所に形成されているが、横方向の一方向にのみ本体部４を移動させて係合解除できるよう構成した場合は、ストッパー突起５２２１を１箇所にだけ形成すればよい。
【００５４】
そして、一定の力を超えて本体部４を回動させると、本体部側突起５１がストッパー突起５２２１を乗り越える。すると、前記移動の制限は解除されて、図６（Ａ）に示す横方向Ｄ２に本体部４を回動させることができるようになり、その結果、図６（Ｂ）に示すようにできる。
【００５５】
図４に示すように、各ストッパー突起５２２１の内側（本体部側突起５１に面した側）には斜面５２２１ａが形成されている。このため、本体部側突起５１はこの斜面５２２１ａに当接して移動が制限されることになるから、過大な力を要さずに本体部側突起５１がストッパー突起５２２１を乗り越えて係合解除できる。
【００５６】
以上、横溝部５２２にストッパー突起５２２１，５２２１が形成されたことで、各ストッパー突起５２２１により本体部４が横方向Ｄ２に回動することを制限できる。このため、係合状態を確実に維持できる。また、前記乗り越えの際には、「カチッ」という音及び触覚（クリック感）が使用者に伝わるため、使用者は本体部４が係合状態でなくなったことを知ることができる。これにより、もし誤って本体部４を回動させた際にも前記クリック感が使用者に伝わるため、回動させたことが誤りの場合は、本体部４を取り付け直すことを使用者に促すことができる。
【００５７】
一方、本体部４は、ホルダ３の壁部３２に対向する側面４１に、ホルダ３の縦溝部５２１に沿った移動と横溝部５２２に沿った移動とが可能な本体部側突起５１が形成されている。この構成によると、取り付ける際、基本的に不動である側であるホルダ３に縦溝部５２１及び横溝部５２２が設けられ、移動させる側である本体部４に本体部側突起５１が形成されている。よって、両者の位置合わせが容易である。
【００５８】
本体部側突起５１の縦断面形状は、図３（Ｂ）に示す形状である。本体部側突起５１の上部には水平面５１１が形成されており、下部には水平面５１２及びテーパ面５１３が形成されている。下部の水平面５１２は、ホルダ３への本体部４の取り付け時に係合突起５２４に当接する。またテーパ面５１３は、下方に向かうにつれ本体部側突起５１の突出量が縮小するような平坦な斜面である。
【００５９】
なお、図２に示すように、本体部側突起５１は側面４１の上下方向中央よりも下方に位置している。このため、本体部側突起５１は上下方向において非対称の位置にある。このため、使用者がもしも本体部４の表裏を間違えてホルダ３に取り付けようとしても、ホルダ３側の縦溝部５２１に本体部側突起５１の位置（上下方向の位置）が合わないので取り付けできない。このため、誤装着を抑制できる。
【００６０】
ホルダ３への本体部４の取り付けの際には、本体部側突起５１のテーパ面５１３と縦溝部５２１の庇部５２３とが当接する。庇部５２３に本体部側突起５１を一致させて上方から本体部４を押えると、ホルダ３は樹脂製であるから、本体部側突起５１に押えられた庇部５２３は弾性変形して、庇部５２３の下方、つまり横溝部５２２内に本体部側突起５１が移動する。この結果、本体部側突起５１の下部の水平面５１２が係合突起５２４に当接する。この状態で本体部側突起５１は、庇部５２３の水平面５２３２と係合突起５２４とに挟まれて図５に示す係合状態となる。なお、本体部側突起５１が移動した際、庇部５２３の前記弾性変形が復帰する。この際、「カチッ」という音及び触覚（クリック感）が使用者に伝わるため、使用者は取り付けが正しくなされたことを知ることができる。
【００６１】
なお、図３（Ａ）及び図５に示すように、庇部５２３は内方に向かうにつれ上下寸法が小さくなる（剛性が小さくなる）ように形成されている。このため、大きな力で本体部４を下方に押し込まなくても、本体部側突起５１を横溝部５２２内に移動させることができる。
【００６２】
この図５に示す係合状態では、本体部側突起５１を上方に移動させようとしても、庇部５２３の水平面５２３２と本体部側突起５１の水平面５１１とが当接するため、移動させることができない。これにより、ホルダ３に対して本体部４を確実に係合させることができる。
【００６３】
そして、前記係合状態を解除するには、例えば図６（Ａ）に示すように反時計回りに本体部４を回転させることで、本体部側突起５１を係合突起５２４上から外して横溝部５２２の長手方向に移動させ、図６（Ｂ）に示すように横溝部５２２から脱出させることができる。なお、本実施形態では前記と逆方向の時計回りに回転させても本体部側突起５１を横溝部５２２から脱出させることができる。本体部側突起５１が係合突起５２４上から外れると、係合突起５２４が無くなった分、横溝部５２２において本体部側突起５１を基準とした上下方向寸法に余裕ができるため、本体部４を軽く回転させることができる。図６（Ｂ）に示す状態では前記係合状態が解除されているので、本体部４を上方に移動させることでホルダ３から本体部４を取り外すことができる。
【００６４】
ここで、本体部側電極部４３は、図６（Ａ）（Ｂ）に破線で示すように、本体部側突起５１とは別の位置に備られている。一方、図２に示すように、パッド２は取付部２Ｘにおいて、外周縁２ｂがホルダ３における壁部３２の内縁３２１に略沿うようにしてホルダ３に保持されている。本体部側電極部４３は、ホルダ３に本体部４が取り付けられた状態で、ホルダ３上に位置するパッド２のパッド側電極部２２に当接することで低周波パルス電流を供給する。
【００６５】
このように、本体部側電極部４３をパッド側電極部２２に当接した状態で、誘導係合部５によりホルダ３と本体部４とを係合できる。このため、両電極部の当接を強固にできる。よって、パッド２と本体部４との導通状態を安定させられる。
【００６６】
また、誘導係合部５がホルダ３と本体部４との物理的接続を担当し、本体部側電極部４３がパッド２と本体部４との電気的接続を担当する。このため、例えば金属製で凹凸嵌合をなすスナップ部材を用いて嵌合と導通とを兼ねるような、両接続を兼ねた構成に比べて安定した電流の供給が可能である。更に、誘導係合部５と本体部側電極部４３とが近接していることにより、誘導係合部５における係合状態が維持される限りは、本体部側電極部４３とパッド側電極部２２との当接状態が損なわれにくく、低周波パルス電流を確実に供給できる。
【００６７】
そして、パッド２は取付部２Ｘにおいて、外周縁２ｂに、ホルダ３における壁部３２の湾曲に略一致した湾曲部２４を備える。このように、取り外しの際の回動方向に沿った湾曲形状の外縁を有するパッド２のため、取り外しの際にパッド２が本体部側突起５１等の誘導係合部５に引っ掛かってめくれる事態を抑制でき、快適に使用できる。
【００６８】
以上、本発明の実施形態を説明したが、本発明は前記実施形態に限定されるものではなく、本発明の要旨を逸脱しない範囲内において種々の変更を加えることができる。
【００６９】
例えば、パッド２は極性別に分離して形成されていてもよい。また、前記実施形態では、本体部側電極部４３との電気的接続のために形成されている導電層２ａの露出部分が、取付部２Ｘにおける幅方向の両端に位置していたが、これに限定されず、取り付け時の本体部４と重なる限り、幅方向中央等の他の位置であってもよい。また、前記実施形態とは逆に、ホルダ３に突起が形成され、本体部４に溝部が形成されていてもよい。
【００７０】
また、前記実施形態の誘導係合部５は、ホルダ３におけるパッド保持部３１の長手方向両端に位置する壁部３２（溝部５２）と、本体部４においてホルダ３の壁部３２に対向する側面４１（本体部側突起５１）とに亘って形成されていた。しかし、誘導係合部５はこれに限定されず、他の位置に形成されていてもよい。
【００７１】
例えば、図７に示すように、ホルダ３におけるパッド保持部３１の長手方向中央と、本体部４における長手方向中央とに亘って誘導係合部５を形成することもできる。図７に示す誘導係合部５は、本体部４の下面４２の中央に形成された突起本体５３１及びこの突起本体５３１に対して出没可能な爪部からなる本体部側突起５３と、ホルダ３の中央に形成され本体部側突起５３が嵌る凹部５４とを備える。
【００７２】
前記実施形態と同様に、この誘導係合部５も、ホルダ３と本体部４の両者を係合すると共に、両者の取り付け・取り外しの際にホルダ３に対する本体部４の移動方向を規制する。つまり、この誘導係合部５でも、両者の取り付けの際には、両者が正対方向（下方向）に移動して係合に至る。そして、両者の取り外しの際には、ホルダ３に対して本体部４が前記正対方向に交わる方向（横方向）に移動することで両者の係合が解除されるよう形成されている。そして、この取り外しの際には、前記取り付けの際の移動方向と逆方向（上方向）への移動は抑制されている。
【００７３】
なお、図７に示した誘導係合部５は、前記実施形態以外の形態の例を概略的に示したに過ぎない。誘導係合部５はその他種々の形態で実施可能である。
【符号の説明】
【００７４】
１          低周波治療器
２          パッド
２Ｘ        取付部
２Ｙ        治療部
２ａ        導電層
２ｂ        パッドの外周縁
２２        パッド側電極部
２４        湾曲部
３          ホルダ
３２        壁部
３２１      壁部の内縁
４          本体部
４１        側面
４３        本体部側電極部
５          誘導係合部
５１        突起、本体部側突起
５２        溝部
５２１      縦溝部
５２２      横溝部
５２２１    制限部、ストッパー突起
Ｄ１        正対方向
Ｄ２        正対方向に交わる方向、横方向
【図１】
0006646887.tif 000002
【図２】
0006646887.tif 000003
【図３】
0006646887.tif 000004
【図４】
0006646887.tif 000005
【図５】
0006646887.tif 000006
【図６】
0006646887.tif 000007
【図７】
0006646887.tif 000008